(57)【要約】【課題】複数の通信機能を持つ携帯端末を用いて、外出時でも多くのコンテンツを選択可能とし、コンテンツ取得にかかる時間と費用を選択時に提示することで使用者の懸念を減らし、なおかつ携帯端末の位置情報を活用し、より有利な通信経路を選択できるようにする。【解決手段】携帯端末の保持するコンテンツのみではなく、ネットワークを関して通信可能なコンテンツサーバの保持するコンテンツも含めて端末使用者が選択できる選択画面を表示し、選択画面にはコンテンツのサイズや所在の情報とともに、通信速度や通信可能地域などの通信経路の情報から、取得にかかる時間と費用を概算して表示し、さらに、使用者が携帯端末を持って移動することでより高速、より安価な通信経路を利用できる場合は、その通信経路によるコンテンツ取得を使用者に提示する。【選択図】図１
2005057359.tif 000002
【特許請求の範囲】
【請求項１】
音楽、映像、プログラムなどのデジタルコンテンツを再生または実行できる携帯端末であって、使用者がコンテンツの一覧からコンテンツを選択して再生したり起動したりする時に、コンテンツの格納場所や、取得にかかる時間の推定値や、取得にかかる費用の推定額などを画面表示装置に表示することを特徴とする携帯端末。
【請求項２】
請求項１記載の携帯端末であって、コンテンツ一覧の中に表示される各コンテンツの取得にかかる時間の推定値や、取得にかかる費用の推定額などを、コンテンツの位置と携帯端末の現在位置などから算出することを特徴とする携帯端末。
【請求項３】
請求項２記載の携帯端末であって、使用者が携帯端末を近距離移動させることにより通信可能となる通信経路を含めて取得時間や通信経費を推定し、近距離移動により条件の良い通信経路を確保できるかどうかを判断して使用者に移動を提案することを特徴とする携帯端末。
【請求項４】
請求項２記載の携帯端末であって、使用者がコンテンツ取得に用いる通信経路を選択するために各通信経路を用いた際の取得時間や取得費用の推定値などを前記画面表示装置に表示するときに、近距離移動により利用可能となる通信経路を選択肢に含めて提示することを特徴とする携帯端末。
【請求項５】
音楽、映像、プログラムなどのデジタルコンテンツを記録する情報機器であって、請求項１〜４のいずれかに記載の携帯端末へコンテンツを配信することを特徴とする情報機器。
【発明の詳細な説明】
【０００１】
【発明の属する技術分野】
本発明は、音楽や映像、プログラムなどのコンテンツを複数の通信経路から取得できる携帯端末に関連し、特に、使用者が再生または実行したいコンテンツを選択する方法、およびコンテンツ取得に用いる通信経路を選択する方法に関する。
【０００２】
【従来の技術】
携帯電話やＰＤＡなどに代表される携帯端末は広く普及し、音声通話、メール、ウェブアクセス、写真の撮影、音楽の再生、映像の再生、およびプログラムの実行など、多数の付加的な機能を持つ情報端末に進化している。携帯端末の高機能化に伴い、その上で利用できるコンテンツのサイズが増大している。このようなサイズの大きいコンテンツを携帯端末に取り込む時に、▲１▼取得にかかる時間が長い、▲２▼通信にかかる費用が高く、明解でないという問題が発生している。今後、無線ＬＡＮやＢｌｕｅｔｏｏｔｈ、赤外線など、新しい通信方式が携帯端末に採り入れられると、使用者にとって通信費はさらに理解が難しいものになると考えられる。
【０００３】
これらの問題点に対処する技術の一つに、特許文献１が挙げられる。これは現在各家庭に普及しつつある広帯域かつ安価な有線通信を生かし、自宅に設置したコンテンツサーバに一旦コンテンツを取り込み、使用者が帰宅した時に携帯端末の充電時間を利用して携帯端末にコンテンツを取り込む。これにより通信費を削減し、擬似的に取得にかかる時間を短縮している。
【０００４】
特許文献２では、動画配信サーバに複数通信経路から最適な経路を選択する機能を持たせ、通信費の低減と帯域保証を実現するものである。また、予め加入者毎に通信費と通信速度の優先度を登録しておき、加入者の嗜好に応じて通信費低減と帯域保証のどちらを経路選択時に優先するかを指定できるようになっている。
【０００５】
また特許文献３では▲２▼の問題に対処するため、通信費の課金状況の変化に追随して新しい課金情報を外部から携帯端末にダウンロードし、これを用いて正確な通信費を表示する方式を提案している。特に通信時間帯に応じて割引が適用される場合に、正確な通信費を算出する方法について述べられている。
【０００６】
【特許文献１】
特開２００３−１８３１７号公報
【特許文献２】
特開２００２−３６９１７４号公報
【特許文献３】
特開２００２−１３５４６４号公報
【０００７】
【発明が解決しようとする課題】
現在のように携帯端末が多機能化して複数の通信経路を持つようになると、状況に応じて適切な通信経路を選択する必要がある。通信経路の中には、無線ＬＡＮのように店舗やオフィス、自宅など特定の地域でのみ利用可能なものや、特許文献１における充電器経由通信のように自宅でのみ利用可能なものがある。
しかし、特許文献１では、外出時に自宅コンテンツサーバにあるデータを取得できないため、携帯端末から利用できるコンテンツに制限が生じてしまっている。外出時に公衆回線経由で自宅コンテンツサーバにアクセスしてデータを取得する方式も考えられるが、利用者はその際に通信経費と通信時間がいくらかかるかを知ることができないため、公衆回線経由による取得を選択するか、帰宅してからの充電器経由による取得を選択するか、使用者にとって判断が難しい。
【０００８】
また、特許文献１および特許文献２は、局所的に利用可能な通信経路を考慮に入れておらず、利用者が携帯端末を持って移動することにより、安価または高速な通信経路を利用できる機会を提供していない。
さらに、これらの方式では通信経路を利用者自身がコンテンツ取得時に決定できない。特許文献２では、加入者データベースに登録された個人毎の優先度によって嗜好に合わせた経路を選択するとしているが、この方式では利用者の嗜好の変化への対応が難しく、利用者がコンテンツを利用する時に通信費を理解しにくいという問題がある。
【０００９】
特許文献３は通信にかかる費用を使用者により正確に知らせるものであるが、この方式は正確な通信費を通信後に表示するものであり、通信前に推定通信費を表示するものではない。このため、利用者が通信前に通信経路を選択できないという課題がある。
【００１０】
上述した課題は以下の２点に要約される。
▲１▼  複数の通信経路を備えた携帯端末の使用者にとって、コンテンツ取得時に取得かかる時間や費用などのコストが不明瞭である。
▲２▼  複数の通信経路を備えた携帯端末の使用者にとって、より有利にコンテンツを取得できる通信経路の選択が難しい。
【００１１】
【課題を解決するための手段】
本発明は前述した課題を解決するため、コンテンツを視聴または実行する機能を備え、無線、有線など複数の通信機能を備えた携帯端末に、使用者が選択する可能性のあるコンテンツの所在地と、現在の携帯端末の位置からコンテンツ取得にかかる通信経費と通信時間の概算値と、コンテンツの所在地、およびコンテンツ取得にかかる通信経費の概算値と、およびコンテンツ取得にかかる時間の概算値を含む一覧をコンテンツ利用者に提示するコンテンツ選択方法を持たせる。また、上記携帯端末に、使用者が携帯端末を持って移動することでより通信時間や通信経費の少ない通信経路を利用できる場合に、使用者に移動を提案する機能を持たせる。
【００１２】
【発明の実施の形態】
以下、本発明を実現する第１の実施例を、図１から図９を用いて説明する。
図１に本発明を実現するシステムの全体構成を示す。
本システムは、インターネットや広域無線ネットワーク、局所無線ネットワーク、局所有線ネットワークなどの複数のネットワークにより接続されたコンテンツサーバ１０１と、携帯端末１２１から構成される。コンテンツサーバ１０１と携帯端末１２１は、常に接続されていなくてもよく、携帯端末の位置に応じ、通信が必要な時にいずれかの通信経路を用いて接続される。
【００１３】
広域無線ネットワークの例として、現在携帯電話やＰＨＳなどが利用する無線通信ネットワークが挙げられる。局所無線ネットワークの例としては、各家庭や店舗などに設置される無線ＬＡＮがある。一般に局所無線ネットワークは、広域無線ネットワークよりも高速に通信できるが、通信できる地域が限定されるという特徴がある。局所有線ネットワークによる通信の例として、特許文献１に挙げられている充電器経由の通信が挙げられる。これは携帯端末を充電のために充電器へ設置すると同時に通信線にも接続することで、有線への接続の手間を省くものである。局所有線ネットワークの他の例として、イーサネット（登録商標）などのケーブルを使用者が手動で接続し、有線通信を行なう実施方法も考えられる。これらの有線通信は通信のためのケーブル接続を必要とするが、一般に無線通信と比較して通信速度が速いという特徴がある。
【００１４】
コンテンツサーバ１０１は、使用者に供給する音楽データや動画データなどのコンテンツを多数格納する装置である。本実施例では、個人によって所有されるコンテンツサーバが各個人の自宅に設置される例について述べる。
コンテンツサーバ１０１は、中央処理装置１０２、主記憶装置１０３、二次記憶装置１０４、有線通信装置１０５、局所無線通信装置１０６、局所有線通信装置１０７などから構成される。
有線通信装置１０５、局所無線通信装置１０６、局所有線通信装置１０７などの通信装置によって、コンテンツサーバは上述のネットワークを介して外部のコンテンツサーバ１４１や、携帯端末１２１などと通信する。
中央処理装置１０２は、主記憶装置１０３上に配置されるプログラムを駆動し、外部からコンテンツを収集したり、携帯端末１２１などにコンテンツを送信したりといった処理を実現する。
【００１５】
主記憶装置１０３にはコンテンツ収集プログラム１０８、コンテンツ送信プログラム１０９などが配置される。コンテンツ収集プログラム１０８は有線通信装置１０５を通じて外部コンテンツサーバ１４１に接続し、使用者が予め指示しておいたコンテンツや、使用者の嗜好に応じたコンテンツを取得する。二次記憶装置１０４には、大容量のコンテンツデータベース１１０が配置され、収集されたコンテンツが格納される。コンテンツデータベース１１０の内容は、図３を用いて後述する。
コンテンツ送信プログラム１０８は携帯端末１２１からコンテンツの要求を受け付け、コンテンツデータベース１１０からコンテンツを取り出して携帯端末１２１に送信する。
携帯端末１２１は、広域無線通信装置１２２、局所無線通信装置１２３、局所有線通信装置１２４、主記憶装置１２５、二次記憶装置１２６、画面表示装置１２７、入力装置１２８、位置計測装置１２９、中央処理装置１３０などからなる。
【００１６】
広域無線通信装置１２２、局所無線通信装置１２３、局所有線通信装置１２４は、前述した各ネットワークを介して通信するための装置である。本発明においては２つ以上の通信装置を持つ携帯端末に適用できるが、本実施例では上記３つの通信装置を持つ携帯端末について述べる。
主記憶装置１２５には、コンテンツ選択プログラム１３１、通信経路選択プログラム１３２、コンテンツ取得プログラム１３３などが配置される。これらのプログラムによって取得するコンテンツを決定し、コンテンツサーバから１０１からコンテンツを取得する。
【００１７】
二次憶装置１２６上には、コンテンツファイル１３４、コンテンツリスト１３５、通信経路情報リスト１３６などのデータが格納される。コンテンツファイル１３４は、音楽データや動画データ、プログラムのバイナリなど、携帯端末１２１が取得したコンテンツの実体を格納するデータ領域であるが、一般に携帯端末に搭載される二次記憶領域は、携帯されないコンテンツサーバよりも容量が小さい。このためコンテンツファイル１３４は、コンテンツデータベース１１０ほど多くのコンテンツを格納できない。
コンテンツリスト１３５、通信経路情報リスト１３６は、本発明に従ってコンテンツを取得する際に用いられる。コンテンツリスト１３５は、コンテンツの実体ではなく、コンテンツサーバ１０１や携帯端末１２１が持つコンテンツについての情報を保持するデータであり、コンテンツサーバ１０１と有線接続された時や、携帯端末１２１がコンテンツを取得した時などに更新される。詳細は図４を用いて後述する。通信経路情報リスト１３６は、携帯端末１２１の持つ通信装置を用いた通信経路に関する情報を保持する。詳細は図５を用いて後述する。
【００１８】
画面表示装置１２７および入力装置１２８は、使用者による取得コンテンツの選択、決定に用いられるほか、動画などのコンテンツ再生にも用いられる。
位置計測装置１２９は、携帯端末の現在位置を認識する装置である。一計測装置１２９の例として、ＧＰＳによる緯度、経度を取得する装置や、基地局のＩＤから位置を検出する装置、充電器への接続有無を検出する装置などが挙げられる。
中央処理装置１３０は、主記憶装置１２５上にある各プログラム１３１〜１３３を駆動し、上述の各装置を用いてコンテンツを取得する。また、音声通話機能、コンテンツ再生機能など、携帯端末１２１の持つ他の機能を実現するために用いてもよい。
【００１９】
図２に本実施例におけるコンテンツ選択画面を示す。画面表示装置１２７は図２のような一覧表を表示し、携帯端末１２１の使用者はこの一覧表を見て視聴または実行したいコンテンツを選択する。コンテンツ名、コンテンツ種とともに、コンテンツの所在を表示している。本図では、携帯端末１２１上に格納されているコンテンツの所在表示を「ケータイ」とし、コンテンツサーバ１０１上に格納されているコンテンツの所在表示を「自宅」とした。また、コンテンツの取得にかかる時間と通信費の概算値を合わせて表示している。すでに携帯端末１２１上に取得したコンテンツの取得にかかる時間と通信費はゼロと表示されており、コンテンツサーバ１０１上に格納されているコンテンツには、ある数値の時間と通信費が表示されている。携帯端末１２１の位置により利用可能な通信経路が変化するため、これらの時間と通信費の値も携帯端末１２１の位置に応じて異なった値が表示される。
【００２０】
上記のような表から取得したいコンテンツを選択することで、使用者は携帯端末１２１に格納されていないコンテンツを容易に選択でき、なおかつそのようなコンテンツの取得にかかる時間と通信費を前もって理解した上でコンテンツを取得できる。
本実施例では表形式としたが、同内容の情報を使用者が閲覧できれば、ツリー表示など他の形式でも良い。
【００２１】
図３にコンテンツサーバ１０１上に保持されるコンテンツデータベース１１０の内容を示す。コンテンツ毎に、データ形式、サイズ、実データ、再生回数などの情報が保持されている。コンテンツ送信プログラム１０９は携帯端末１２１から要求されたコンテンツをコンテンツデータベース１１０から検索し、送信する。
【００２２】
図４に携帯端末１２１上に保持されるコンテンツリスト１３５の内容を示す。コンテンツリスト１３５はコンテンツデータベース１１０に似たデータ構造であるが、コンテンツの実データは保持しておらず、コンテンツの所在を保持している点が異なる。コンテンツリスト１３５は携帯端末１２１上のコンテンツファイル１３４が保持する実データに関する情報のみではなく、コンテンツサーバ１０１上のコンテンツデータベース１１０が保持するコンテンツに関する情報も合わせて保持している。図４におけるコンテンツ「ＡＡＡ」は携帯端末１２１とコンテンツサーバ１０１の両方が保持しているデータであるが、「ＢＢＢ」および「ＹＹＹ」は携帯端末１２１には存在せず、コンテンツサーバ１０１が保持している。逆に「ＺＺＺ」はコンテンツサーバ１０１には存在せず、携帯端末１２１が保持しているデータである。
【００２３】
容量の小さいコンテンツファイル１３４に新しいコンテンツを書き込む時に、容量が不足することがある。コンテンツデータベース１１０や、コンテンツリスト１３５の持つ再生回数情報は、コンテンツファイル１３４から不要と思われるコンテンツを選択して削除して記憶領域を確保するために用いられる。また、コンテンツサーバ１０１に存在しない「ＺＺＺ」のようなコンテンツについては、いずれかの通信経路を用いてコンテンツサーバ１０１にコピーしてから削除することでコンテンツを失わずにコンテンツファイル１３４を活用できる。
【００２４】
図５に携帯端末１２１上に保持される通信経路情報リスト１３５の内容を示す。このリストには、携帯端末１２１の持つ通信装置１２２、１２３、１２４に対応した通信経路の情報が保持されている。Ｎｏ．１の通信経路は広域無線通信装置１２２による通信経路についての情報を示している。携帯電話などに使われている、多数の基地局を通じた通信方式を指定しており、通信可能な位置や範囲に基本的に制限は無く、課金方式も一定としている。Ｎｏ．２〜Ｎｏ．１０は局所無線通信装置１２３による通信経路に関する情報を示している。局所的に配置された基地局の近傍で通信するため、携帯端末１２１の位置によって基地局が変わり、課金方式などが変化する。ここではＮｏ．２に有料で提供される通信経路を示し、Ｎｏ．１０には自宅に設置された無料の通信経路を示している。Ｎｏ．１１は局所有線通信装置１２４を通じた通信経路に関する情報である。ここでは充電器を経由した有線通信経路を指定している。他の通信経路と比較して通信速度が大きく、無料であるが、充電器に接続された時にのみ通信可能である。
【００２５】
図６に本実施例における処理の全体フローを示す。
処理６０１：
携帯端末１２１の使用者は、コンテンツ選択プログラム１３１を起動してコンテンツを選択する。コンテンツ選択プログラム１３１は図２に示したコンテンツ一覧を表示し、使用者はこの一覧からコンテンツを選択する。処理手順詳細は図７を用いて後述する。
処理６０２：
携帯端末１２１は処理６０１において選択されたコンテンツを再生または実行するために取得する。コンテンツファイル１３４内に選択されたコンテンツが無い場合には、コンテンツサーバ１０１からコンテンツを取得する。処理手順詳細は図８を用いて後述する。
処理６０３：
携帯端末１２１は取得したコンテンツを再生または実行する。
【００２６】
図７にコンテンツ選択処理６０１の手順詳細を示す。
処理７０１：
位置計測装置１２９を用いて携帯端末の現在位置を取得する。
処理７０２：
コンテンツリスト１３５から処理対象とする一件のコンテンツを取得する。
処理７０３：
通信経路選択プログラム１３２に処理７０１で取得した携帯端末の現在位置と、処理７０２で取得したコンテンツの位置情報を与えて通信経路を選ぶ。まず通信経路情報リスト１３６から現在使用可能な通信経路を選択する。使用可能な通信経路が複数ある場合は、さらにその中から最も通信費の安く、通信速度の速い経路を選ぶ。通信費と通信速度の一方に勝る複数の経路がある場合は、使用者に優先して使用する経路を事前に入力してもらい、この情報を用いて通信経路を決定する。
【００２７】
処理７０４：
選択した経路の通信速度と選択したコンテンツのサイズから取得にかかる通信時間を概算する。例えば、コンテンツサイズを通信速度で除算して通信時間を得る方法がある。また、選択した経路の課金方式と選択したコンテンツのサイズから取得にかかる通信費を概算する。例えば、コンテンツサイズを情報量当たりの通信費で除算することにより通信費を得る方法がある。
処理７０５：
コンテンツリスト１３５に含まれるコンテンツ名や所在などの情報とともに、処理７０４により得られた予想取得時間と予想取得費用を画面に表示し、使用者に提示する。
処理７０６：
コンテンツリスト１３５に含まれるコンテンツ全件の処理を終えていれば処理７０７に進む。まだ処理されていないコンテンツがあれば、処理７０３に戻る。
【００２８】
処理７０７：
使用者から、コンテンツ選択の入力を待つ状態に入り、処理を終了する。
使用者の選択により、図６における処理６０２が開始される。
上記の処理により、図２に示したデータを使用者に提示できる。携帯端末１２１のみではなく、コンテンツサーバ１０１に格納されたコンテンツも表示されるため、使用者はより多くのコンテンツを選択できる。また、処理７０５により表示された情報と見てコンテンツを選択できるため、使用者は取得にかかる時間や通信費に関する懸念を持たずに判断を下すことができる。
【００２９】
図８にコンテンツ取得処理６０２の手順詳細を示す。
処理８０１：
コンテンツ選択処理６０２の最後に使用者から入力された情報を受け、使用者の選択したコンテンツを識別する。
処理８０２：
通信経路選択プログラムに１３２を用い、通信経路情報リスト１３６と位置計測装置１２９を使って現在位置の近傍、例えば半径５０ｍ以内の円内に、通信可能範囲を持つ通信経路を探索する。
処理８０３：
処理８０２により、処理７０２により選択された通信経路より高速、もしくは安価な通信経路が見つかった場合には、処理８０６に進む。見つからなかった場合には処理８０４に進む。
【００３０】
処理８０４：
処理７０２により選択された通信経路によりコンテンツサーバ１０１にアクセスし、選択されたコンテンツの実データを取得してコンテンツファイル１３４に格納する。同時にコンテンツリスト１３５の内容を変更する。この時コンテンツを格納するための容量が足りない場合には、コンテンツファイルから再生回数の少ないデータを削除する。コンテンツサーバ１０１に存在しないデータを削除する時は、コンテンツサーバに送信してバックアップを作成してから削除してもよい。
処理８０５：
処理８０４において取得したコンテンツを再生または実行する。
【００３１】
処理８０６：
近くにより高速、もしくは安価に通信可能な地域があることを使用者に提示し、携帯端末１２１をもってその地域に移動することを使用者に提案する。例えば、「徒歩３分の距離に高速アクセスポイントがあります（取得費：２０円、取得時間：１０秒）。移動しますか？」といったメッセージとともに、ＹＥＳまたはＮＯと表記されたボタンを表示する。いずれかのボタンを押下して、使用者は提案を受け入れるかどうかを選択する。
処理８０７：
使用者が処理８０６により提示された移動提案を採用した場合には、コンテンツを取得せずに処理を終了する。本実施例では、使用者による移動後のコンテンツ再選択を想定している。または、携帯端末１２１が移動完了を検知して、処理８０２により見つかった通信経路を使ってコンテンツを取得してもよい。使用者が提示された移動提案を採用しなかった場合は、処理８０４に進む。
【００３２】
上に述べたように、本実施例では現在地の近くに有利に通信できる地域がある場合には、それを利用者に提示する処理を実現している。例えば、局所無線通信サービスを提供する店舗の近くにいる時は、その店舗への立ち寄りを提案したり、自宅に近い時は帰宅後の有線通信を提案したりできる。このため利用者は携帯端末１２１の通信機能を活用した、より有利な通信経路を活用できる。
このようにコンテンツを選択した後に近距離の移動を提案してもよいが、予め他の通信経路と合わせ、近距離移動を伴う通信経路を提示してもよい。図１２にこのような通信経路を提示する画面の例を示す。コンテンツ「ＢＢＢ」は電話通信、無線ＬＡＮ、充電器経由の三つの取得経路を介して取得できる。おのおの、取得時間、取得通信費とともに、移動が必要な場合は移動時間も表示されている。使用者は、取得にかかる時間や費用と、移動にかかる時間とを考慮して、本表からコンテンツと一緒にコンテンツ取得経路を選択できる。
【００３３】
本実施例では、本発明により、利用者がより多くのコンテンツを選択でき、コンテンツ取得時間、取得通信費に関する懸念を持たずにコンテンツを選択でき、携帯端末の位置情報を活用したより有利な通信経路を選択できることを示した。
以下、本発明を実現する第２の実施例を、図６〜図１１を用いて説明する。本実施例では、コンテンツサーバ１０１がコンテンツ配信会社に設置される場合について述べる。
【００３４】
図９は、第１の実施例と同様に第２の実施例におけるシステムの全体構成を示す。図１とほぼ同様の構成であるが、コンテンツサーバ１０１と携帯端末１２１を接続するネットワークの形態が異なっている。しかし、携帯端末１２１が複数の通信装置を通じてコンテンツサーバ１０１と通信する点は同じである。
また、第１の実施例と異なり、コンテンツサーバ１０１は二次記憶装置内に顧客データベース９０１を持っている。顧客データベース９０１には携帯端末１２１の使用者が持つ嗜好を予め登録しておく。顧客データベース９０１とコンテンツデータベース１１０から、各使用者に特化したコンテンツリスト１３５を生成し、携帯端末１２１に送信する。
【００３５】
図１０は、本実施例におけるコンテンツ選択画面を示す。第１の実施例と同様に、使用者は携帯端末１２１の保持していない、コンテンツサーバ１０１の保持するコンテンツを選択することができ、コンテンツ名、コンテンツ種とともに、コンテンツの所在、取得時間、取得通信費を見て取得するか否かを判断できる。ただ、本実施例ではコンテンツ料や、コンテンツ内のコマーシャル（ＣＭ）有無の情報も合わせて提供している。これにより使用者は、通信費とコンテンツ料を合わせてコンテンツ取得にかかる費用を判断できる。また、コマーシャルの含まれたコンテンツを選択することで料金の安いコンテンツの取得を選択できる。このように、使用者は通信費のみではなく、より詳細なコンテンツ取得にかかる費用を検討してコンテンツ購入を判断可能になる。
【００３６】
図１１は本実施例におけるコンテンツリスト１３５の内容を示す。本実施例においても、携帯端末１２１の保持するコンテンツのみではなく、コンテンツサーバ１０１の持つコンテンツもリストに含められている。ただし、コンテンツサーバ１０１の持つコンテンツ全てをリストに含めるのではなく、顧客データベース９０１から顧客の好むデータに限定することでデータ量を押さえながら、使用者のニーズを満たす。また、図１０に示した情報を表示するために、コンテンツ料、コンテンツ内にＣＭが含まれているか否かの情報を持っている。
本システムにおけるコンテンツの選択、取得、再生または実行の処理フローは、第１の実施例と同様に図６〜図８によって示される。
【００３７】
上述のように、本実施例ではコンテンツ配信会社に設置されたコンテンツサーバ１０１からコンテンツを取得するシステムに本発明を適用することで、利用者がより多くのコンテンツを選択でき、コンテンツ取得時間、取得費用に関する懸念を持たずにコンテンツを選択でき、携帯端末の位置情報を活用することでより有利な通信経路を選択できることを示した。
【００３８】
【発明の効果】
以上に述べたように、本発明による携帯端末およびコンテンツ配信方法によって、以下の効果が得られる。
（１）無線、有線など、複数の通信機能を持つ携帯端末を用いてコンテンツを取得する時に、コンテンツ取得時間、コンテンツ取得費用を明解に提示でき、懸念無くコンテンツの選択を判断できる。
（２）上記携帯端末の持つ位置情報を活用し、より有利な通信経路を容易に選択できる。
上記の効果を通じ、使用者はより自由にコンテンツを選択して視聴や実行できるようになる。
【図面の簡単な説明】
【図１】第１の実施例におけるシステム構成を示す図である。
【図２】第１の実施例におけるコンテンツ選択画面例を示す図である。
【図３】コンテンツデータベース１１０の内容を示す図である。
【図４】第１の実施例におけるコンテンツリスト１３５の内容を示す図である。
【図５】通信経路情報リスト１３６の内容を示す図である。
【図６】本発明を実現する実施例における全体の処理手順を示す図である。
【図７】コンテンツ選択手順６０１の詳細を示す図である。
【図８】コンテンツ取得手順６０２の詳細を示す図である。
【図９】第２の実施例におけるシステム構成を示す図である。
【図１０】第２の実施例におけるコンテンツ選択画面を示す図である。
【図１１】第２の実施例におけるコンテンツリスト１３５の内容を示す図である。
【図１２】第１の実施例における、もう一つのコンテンツ選択画面例を示す図である。
【符号の説明】
１０１…コンテンツサーバ、１０２…中央処理装置、１０３…主記憶装置、１０４…二次記憶装置、１０５…有線通信装置、１０６…局所無線通信装置、１０７…局所有線通信装置、１０８…コンテンツ収集プログラム、１０９…コンテンツ送信プログラム、１１０…コンテンツデータベース、１２１…携帯端末、１２２…広域無線通信装置、１２３…局所無線通信装置、１２４…局所有線通信装置、１２５…主記憶装置、１２６…二次記憶装置、１２７…画面表示装置、１２８…入力装置、１２９…位置計測装置、１３０…中央処理装置、１３１…コンテンツ選択プログラム、１３２…通信経路選択プログラム、１３３…コンテンツ取得プログラム、１３４…コンテンツファイル、１３５…コンテンツリスト、１３６…通信経路情報リスト
【図１】
2005057359.tif 000003
【図２】
2005057359.tif 000004
【図３】
2005057359.tif 000005
【図４】
2005057359.tif 000006
【図５】
2005057359.tif 000007
【図６】
2005057359.tif 000008
【図７】
2005057359.tif 000009
【図８】
2005057359.tif 000010
【図９】
2005057359.tif 000011
【図１０】
2005057359.tif 000012
【図１１】
2005057359.tif 000013
【図１２】
2005057359.tif 000014